(57)【特許請求の範囲】
【請求項１】
相手端末と無線基地局を介して第１の周波数帯の電波を用いて無線通信を行う第１の通信手段と、
前記第１の周波数帯と異なる第２の周波数帯の電波を用いて前記相手端末と通信を行う第２の通信手段と、
前記相手端末に対して前記第２の通信手段を用いる通信要求を前記第１の通信手段により行う通信要求手段と、
前記通信要求手段による通信要求に対する前記相手端末からの前記第２の通信手段を用いた応答を受け付けられるように、第２の通信手段を起動して前記相手端末からの前記第２の通信手段による応答を待ちうけ、その後、前記相手端末との間で前記第２の通信手段を用いる通信のセッションを確立する制御手段と
を具備することを特徴とする携帯通信端末。
【請求項２】
相手端末と無線基地局を介して第１の周波数帯の電波を用いて無線通信を行う第１の通信手段と、
前記第１の周波数帯と異なる第２の周波数帯の電波を用いて前記相手端末と通信を行う第２の通信手段と、
前記相手端末に対して前記第２の通信手段を用いる通信要求を前記第１の通信手段により行う通信要求手段と、
前記相手端末の前記第２の通信手段が通信可能状態にあるか否かを判別する判別手段と、
前記判別手段により前記相手端末の前記第２の通信手段が通信可能状態にあると判別された場合は、前記相手端末との間の前記第２の通信手段を用いる通信のセッションを確立した後、所望の通信アプリケーションを起動して前記第２の通信手段を用いる前記相手端末との通信を制御し、前記判別手段により前記相手端末の前記第２の通信手段が通信可能状態にないと判別された場合は、前記通信要求手段により前記第２の通信手段を用いる通信要求を行い、前記相手端末からの前記第２の通信手段を用いた応答を受け付けることに基づいて相手端末との間の前記第２の通信手段を用いる通信のセッションを確立した後、所望の通信アプリケーションを起動して前記第２の通信手段を用いる前記相手端末との通信を制御する制御手段と
を具備することを特徴とする携帯通信端末。
【請求項３】
前記制御手段は、
前記第１若しくは第２の通信要求手段による通信要求に対応して前記相手端末が前記第２の通信手段を用いる通信に同意したことを条件に前記相手端末との前記第２の通信手段を用いる通信のセッションを確立する
ことを特徴とする請求項２記載の携帯通信端末。
【発明の詳細な説明】
【０００１】
【発明の属する技術分野】
この発明は、携帯通信端末に関し、特に、Bluetoothによる通信の確立を簡単な操作でシームレスに実現できる携帯通信端末に関する。
【０００２】
【従来の技術】
近年、携帯電話やＰＨＳ等、小型で高機能な携帯通信端末が広く普及し、これらの携帯通信端末の利用形態も、音声通話だけでなく、インターネットへのアクセスや電子メールの送受信、さらには所定のサーバから所定のコンテンツの配信を受ける等、多様化している。また、これらの携帯通信端末により通信されるデータも、テキストデータからオーディオデータ、画像データ、プログラムデータなど多様化している。
【０００３】
また、携帯通信端末には、Bluetoothに代表される近距離無線通信機能を搭載し、この近距離無線通信機能を有する端末同士でのダイレクト通信、即ちサーバや一般の通信ネットワークを介さずに端末間においてダイレクトに情報をやり取りすることを可能にしたものがあり、携帯通信端末間のみならず近距離無線通信機能を搭載したＰＣと接続してインターネット等にダイヤルアップ接続する等、その利用形態はさらなる広がりを見せている。
【０００４】
ところで、Bluetoothを用いてデータの送受信を行うためには、データを送受信する前に、まず、所望の端末間でBluetoothによる接続を確立しなければならない。また、通信端末に搭載されるBluetooth通信機能は、通常、使用されていないときには起動していない、即ちアクティブになっていない。
【０００５】
したがって、複数の端末間で通信を始める際には、まず、通信を行おうとする全ての端末のBluetooth機能をアクティブにし、その間の接続を確立する必要がある。
【０００６】
例えば、パーソナルコンピュータ（ＰＣ）と携帯電話とをBluetoothによって無線接続してダイヤルアップ接続する場合、ＰＣと携帯電話の双方のBluetooth機能をそれぞれに起動して、Bluetoothによる接続を確立しなければならない。
【０００７】
【発明が解決しようとする課題】
上記のＰＣと携帯電話の例のように、通信を行おうとする全ての端末のBluetooth機能をそれぞれに起動させるのは面倒な作業であり、ユーザにかかる負担が大きい。
【０００８】
また、携帯電話同士でBluetoothによる通信を行いたい場合、相手端末のBluetooth機能がアクティブかどうかによって通信アプリケーション起動までの手順が異なるため、従来は、ユーザが、通信を行いたい相手とアプリケーション起動までの手順を口頭で示し合わせなければならなかった。
【０００９】
そこで、この発明は、端末間のBluetoothによる通信の確立を簡単な操作で行うことのできる携帯通信端末を提供することを目的とする。
【００１０】
【課題を解決するための手段】
上記目的を達成するため、相手端末と無線基地局を介して第１の周波数帯の電波を用いて無線通信を行う第１の通信手段と、前記第１の周波数帯と異なる第２の周波数帯の電波を用いて前記相手端末と通信を行う第２の通信手段と、前記相手端末に対して前記第２の通信手段を用いる通信要求を前記第１の通信手段により行う通信要求手段と、前記通信要求手段による通信要求に対する前記相手端末からの前記第２の通信手段を用いた応答を受け付けられるように、第２の通信手段を起動して前記相手端末からの前記第２の通信手段による応答を待ちうけ、その後、前記相手端末との間で前記第２の通信手段を用いる通信のセッションを確立する制御手段とを具備することを特徴とする。
【００１１】
即ち、第１の通信手段とは、音声通話や電子メール、パケット通信等を実現する無線電話通信手段であり、通信要求手段は、これらいずれかの手段を利用して相手端末に第２の通信手段を起動するよう要求を送る。ここで、第２の通信手段とは、例えばBluetooth通信手段である。
【００１２】
また、本発明は、相手端末と無線基地局を介して第１の周波数帯の電波を用いて無線通信を行う第１の通信手段と、前記第１の周波数帯と異なる第２の周波数帯の電波を用いて前記相手端末と通信を行う第２の通信手段と、前記相手端末に対して前記第２の通信手段を用いる通信要求を前記第１の通信手段により行う通信要求手段と、前記相手端末の前記第２の通信手段が通信可能状態にあるか否かを判別する判別手段と、前記判別手段により前記相手端末の前記第２の通信手段が通信可能状態にあると判別された場合は、前記相手端末との間の前記第２の通信手段を用いる通信のセッションを確立した後、所望の通信アプリケーションを起動して前記第２の通信手段を用いる前記相手端末との通信を制御し、前記判別手段により前記相手端末の前記第２の通信手段が通信可能状態にないと判別された場合は、前記通信要求手段により前記第２の通信手段を用いる通信要求を行い、前記相手端末からの前記第２の通信手段を用いた応答を受け付けることに基づいて相手端末との間の前記第２の通信手段を用いる通信のセッションを確立した後、所望の通信アプリケーションを起動して前記第２の通信手段を用いる前記相手端末との通信を制御する制御手段とを具備することを特徴とする。
【００２４】
［発明の詳細な説明］
【発明の実施の形態】
以下、この発明に係わる携帯通信端末の実施の形態を添付図面を参照して詳細に説明する。
【００２５】
（実施例１）
図１は、この発明に係わる携帯通信端末の構成の一例を示す図である。
【００２６】
図１において、携帯通信端末１は、制御部１１、無線電話通信部１２、近距離無線通信部１３、通信開始要求生成部１４、アプリケーション起動部１５、メモリ１６とを具備して構成される。
【００２７】
制御部１１は、各部を制御して携帯通信端末１の各種通信機能、およびデータ処理機能等を統括制御する。無線電話通信部１２は、無線基地局を介した無線通信による情報の入出力伝送処理を行い、電話網やインターネット等の一般の通信網を介した音声通話やメールの送受信等を実現し、近距離無線通信部１３は、制御部１１の制御信号に基づいて近距離無線通信による情報の入出力伝送処理を行い、一般の通信網を介さない端末間でのダイレクトな通信を実現する。
【００２８】
通信開始要求生成部１４は、近距離無線通信を実行するに先立って、相手端末に対して近距離無線通信部１３を用いた通信の開始を要求する通信開始要求を生成する。
【００２９】
メモリ１６は、携帯通信端末１が実装する各種アプリケーションを格納し、アプリケーション起動部１５は、制御部１１からの制御信号に基づいてメモリ１６に格納された各種アプリケーションを起動する。
【００３０】
さて、この実施の形態では、近距離無線通信部１３にBluetooth送受信装置を用いた場合を例に説明する。
【００３１】
ここで、Bluetoothとは、微弱電波（２．４ＧＨｚ帯の周波数）を用いた一対一方式（Point to Point）若しくは一対多方式（Point to Multi-Point）の近距離無線音声／データ通信規格であり、複数の機器間での干渉を避けるためにスペクトラム拡散通信を行う。最大通信距離は、送信出力に応じて３つのクラスがあるが、１０ｍ〜１００ｍ程度である。Bluetoothは、小型の無線トランシーバをベースに開発されており、このトランシーバにはＩＥＥＥ８０２標準に準拠する４８ｂｉｔの固有のアドレスが割り当てられる。通信にはバイナリＦＭ変調を用い、時分割による全二重通信を実現する。
【００３２】
このようなBluetoothによる近距離無線通信を行うには、まず、通信を行おうとする端末のBluetooth通信機能をそれぞれアクティブにし、Bluetooth通信機能同士を互いに認識させてセッションを確立する必要がある。
【００３３】
図２は、図１に示した端末間でBluetooth通信機能による通信を確立するための処理を説明するフローチャートである。
【００３４】
Bluetooth通信を要求する側の端末（以下、イニシエータ端末という）は、ユーザ操作に基づいて、近距離無線通信部１３を起動してBluetooth通信機能をアクティブにするとともに（ステップ１０１）、通信開始要求生成部１４にて通信を希望する相手端末（以下、アクセプタ端末という）に対するBluetooth通信機能を用いた近距離無線通信の通信開始要求を生成し（ステップ１０２）、生成した通信開始要求を無線電話通信部１２により一般の通信網を介してアクセプタ端末へ送信する（ステップ１０３）。なお、イニシエータ端末の短距離無線通信部１３を起動するタイミングはこれに限らず、通信開始要求を生成した後、若しくは通信開始要求を送信した後でも良い。
【００３５】
アクセプタ端末は、イニシエータ端末からの通信開始要求を受信すると、この通信開始要求に同意するか否かを決定し（ステップ１０４）、同意する場合には（ステップ１０４でＹＥＳ）、近距離無線通信部１３を起動してBluetooth機能をアクティブにする（ステップ１０５）。ここで、アクセプタ端末における通信開始要求に同意するか否かの判定は、例えば、アクセプタ端末自身の状態や通信開始要求とともに送られてくるイニシエータ端末の情報に基づいて端末側で自動的に行っても良いし、通信開始要求を受信した旨をユーザに通知してユーザに決定させるようにしても良い。
【００３６】
続いて、アクセプタ端末は、近距離無線通信部１３を介してイニシエータ端末にBluetooth接続要求を送信し（ステップ１０６）、イニシエータ端末がこのBluetooth接続要求に応答することで（ステップ１０７）、両端末間でBluetooth接続セッションが確立する（ステップ１０８）。なお、Bluetooth接続要求は、イニシエータ端末が出しても良い。
【００３７】
さて、両端末間でBluetooth接続セッションが確立すると（ステップ１０８）、イニシエータ端末は、所定の通信アプリケーションを起動して（ステップ１０９）、対応する通信アプリケーションを起動するようアクセプタ端末に要求し（ステップ１１０）、アクセプタ端末は、イニシエータ端末からの要求に応じて対応する通信アプリケーションを起動し（ステップ１１１）、通信アプリケーションを起動した旨をイニシエータ端末に通知する（ステップ１１２）。これにより、Bluetooth通信機能を用いた通信アプリケーションの利用が可能となる（ステップ１１３）。
【００３８】
なお、ステップ１０２において、イニシエータ端末が送信する通信開始要求で利用する通信アプリケーションを予め指定するようにしても良く、この場合、ステップ１１０、およびステップ１１２の処理は必要なく、Bluetooth接続セッションが確立した時点で、イニシエータ端末とアクセプタ端末とで同時に通信アプリケーションを起動することができる。
【００３９】
（実施例２）
図３は、この発明に係わる携帯通信端末の構成の別の一例を示す図であり、図１と同一の部分を同一符号で示したものである。以下、近距離無線通信部１３にBluetooth送受信装置を用いた場合を例に説明する。
【００４０】
図３において、携帯通信端末１は、Bluetooth通信を行おうとする相手端末のBluetooth通信機能がアクティブになっているか否かを判別するBluetooth状態判定部１７を有する。
【００４１】
Bluetooth状態判定部１７は、例えばタイマ機能を有し、Bluetooth通信部１３によるデバイスの検索時間を計時し、所定時間経過しても通信を希望する相手端末が検出されなかった場合に、この相手端末のBluetooth通信機能はアクティブになっていない（ノンアクティブである）と判定する。
【００４２】
図４は、図３で示した端末間でBluetooth通信機能による通信を確立するための処理を説明するフローチャートである。
【００４３】
Bluetooth通信を要求する側の端末（以下、イニシエータ端末という）は、まず、ユーザ操作に基づいて、近距離無線通信部１３を起動してBluetooth通信機能をアクティブにする（ステップ２０１）。
【００４４】
ここで、Bluetooth通信機能がアクティブになると、まず、デバイス検索という処理が行われる。このデバイス検索とは、Bluetooth通信が可能な範囲内に存在する他のアクティブなBluetooth通信機能を検出する処理である。
【００４５】
起動された近距離無線通信部１３は、デバイス検索を行い（ステップ２０２）、Bluetooth状態判定部１７は、この近距離無線通信部１３によるデバイス検索処理を監視して、通信を希望する相手端末（以下、アクセプタ端末という）のBluetooth機能がアクティブか否かを判定する（ステップ２０４）。なお、デバイス検索に対してアクセプタ端末から応答があった場合に（ステップ２０３）、このアクセプタ端末のBluetooth機能はアクティブであると判断する。
【００４６】
Bluetooth状態判定部１７によってアクセプタ端末のBluetooth通信機能がアクティブであると判定されると（ステップ２０４でＹＥＳ）、イニシエータ端末は、アクセプタ端末にBluetooth接続要求を送信し（ステップ２０５）、アクセプタ端末がこのBluetooth接続要求に応答することで（ステップ２０６）、両端末間でBluetooth接続セッションが確立する（ステップ２０７）。なお、Bluetooth状態判定部１７によってアクセプタ端末のBluetooth通信機能がアクティブでないと判定された場合（ステップ２０４でＮＯ）、その旨をユーザに通知して処理を終了するか、或いは、口頭若しくは実施例１で説明した方法等によってアクセプタ端末に近距離無線通信部１３を起動してBluetooth通信機能をアクティブにするよう要求する処理を行う。
【００４７】
さて、イニシエータ端末とアクセプタ端末との間でBluetooth接続セッションが確立すると（ステップ２０７）、イニシエータ端末は、所定の通信アプリケーションによる通信開始要求をアクセプタ端末に送り（ステップ２０８）、アクセプタ端末は、この通信開始要求に同意するか否かを判定する（ステップ２０９）。この通信開始要求に同意する場合には（ステップ２０９でＹＥＳ）、アクセプタ端末は、対応する通信アプリケーションを起動して（ステップ２１０）、イニシエータ端末に通信アプリケーションを起動した旨を通知し（ステップ２１１）、イニシエータ端末は、この通知を受けて通信アプリケーションを起動して（ステップ２１２）、通信アプリケーションを起動した旨をアクセプタ端末に通知する（ステップ２１３）。これにより、Bluetooth通信機能を用いた通信アプリケーションの利用が可能となる（ステップ２１４）。
【００４８】
なお、実施例１と同様に、通信開始要求に同意するか否かは所定の判断基準に基づいて決定され、例えば、アクセプタ端末自身の状態や通信開始要求とともに送られてくるイニシエータ端末の情報に基づいて端末側で自動的に決定しても良いし、ユーザに決定させるようにしても良い。
【００４９】
以上説明したように、この発明によれば、例えばBluetooth通信を行うにあたって、イニシエータ端末は、通信を希望するアクセプタ端末に対して電話網やインターネットといった一般の通信網を介して通信開始要求を送信し、アクセプタ端末は、イニシエータ端末からの通信開始要求に応じて両端末間にBluetooth接続セッションを確立するので、例えばBluetooth通信などのダイレクトに通信できる通信手段を用いる通信アプリケーションの起動を容易かつシームレスに行えるという効果を奏する。
【図面の簡単な説明】
【図１】この発明に係わる携帯通信端末の構成の一例を示すブロック図である。
【図２】図１の携帯通信端末間でBluetooth通信機能による通信を確立するための処理を説明するフローチャートである。
【図３】この発明に係わる携帯通信端末の構成の別の一例を示すブロック図である。
【図４】図３の携帯通信端末間でBluetooth通信機能による通信を確立するための処理を説明するフローチャートである。
【符号の説明】
１      携帯通信端末
１１      制御部
１２      無線電話通信部
１３      近距離無線通信部
１４      通信開始要求生成部
１５      アプリケーション起動部
１６      メモリ
１７      Bluetooth状態判定部
【図１】
0003943933.tif 000002
【図２】
0003943933.tif 000003
【図３】
0003943933.tif 000004
【図４】
0003943933.tif 000005